(57)【要約】【課題】基地局装置と接続しながら、デバイス間データ通信を行う端末装置に効率の良い間欠受信制御を行わせること。【解決手段】基地局装置と複数セルを介して通信を行いながら、端末装置間のデータ通信であるデバイス間データ通信を行う端末装置が、基地局装置から間欠受信パラメータを受信した場合、間欠受信パラメータに基づいてアクティブタイムを設定し、基地局装置から端末装置間通信設定メッセージを受信した場合、端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定する。【選択図】図１
2017163173.tif 000002
【特許請求の範囲】
【請求項１】
基地局装置と端末装置が複数セルを介して通信を行いながら、前記端末装置が端末装置間のデータ通信であるデバイス間データ通信を行う無線通信システムであって、
前記基地局装置は、
前記端末装置に間欠受信パラメータを送信し、
前記端末装置から端末装置間通信要求メッセージを受信した場合、前記端末装置に端末装置間通信設定メッセージを送信し、
前記端末装置は、
前記基地局装置から間欠受信パラメータを受信した場合、前記間欠受信パラメータに基づいてアクティブタイムを設定し、
前記基地局装置から端末装置間通信設定メッセージを受信した場合、
前記端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定することを特徴とする無線通信システム。
【請求項２】
請求項１記載の無線通信システムであって、
前記基地局装置は、前記アクティブタイムに前記端末装置に下りリンク割り当て情報または上りリンク送信許可情報を前記端末装置に送信し、
前記端末装置は、前記アクティブタイムに下りリンク制御チャネルをモニタすることを特徴とする無線通信システム。
【請求項３】
基地局装置と複数セルを介して通信を行いながら、端末装置間のデータ通信であるデバイス間データ通信を行う端末装置であって、
前記基地局装置から間欠受信パラメータを受信した場合、前記間欠受信パラメータに基づいてアクティブタイムを設定し、
前記基地局装置から端末装置間通信設定メッセージを受信した場合、
前記端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定することを特徴とする端末装置。
【請求項４】
請求項３記載の端末装置であって、
前記基地局装置からデバイス間データ通信用送信許可情報を受信した場合、前記デバイス間データ通信用送信許可情報で示されたデバイス間データ送信期間をアクティブタイムに設定することを特徴とする端末装置。
【請求項５】
請求項４記載の端末装置であって、
前記アクティブタイムに下りリンク制御チャネルをモニタすることを特徴とする端末装置。
【請求項６】
基地局装置と複数セルを介して通信を行いながら、端末装置間のデータ通信であるデバイス間データ通信を行う端末装置であって、
前記基地局装置から間欠受信周期オフセット、間欠受信期間タイマーおよび受信延長期間タイマーを含む間欠受信パラメータセットを受信し、
少なくとも前記間欠受信パラメータセットに基づいたアクティブタイムに下りリンク制御チャネルをモニタし、
前記アクティブタイムに前記下りリンク制御チャネルで新規の下りリンクリソース割り当て情報、または、上りリンク送信許可情報を受信した場合、前記受信延長期間タイマーをスタートまたはリスタートし、
前記アクティブタイムに前記下りリンク制御チャネルでデバイス間データ通信用送信許可情報を受信した場合、前記受信延長期間タイマーをスタートまたはリスタートしないことを特徴とする端末装置。
【請求項７】
請求項６記載の端末装置であって、
前記アクティブタイムを少なくとも前記間欠受信期間タイマーまたは前記受信延長期間タイマーが動作している期間として設定することを特徴とする端末装置。
【請求項８】
端末装置と複数セルを介して通信を行いながら、端末装置間のデータ通信であるデバイス間データ通信のスケジューリングを行う基地局装置であって、
前記端末装置に間欠受信パラメータを送信し、
前記間欠受信パラメータに基づいて前記端末装置のアクティブタイムを設定し、
前記端末装置から端末装置間通信要求メッセージを受信した場合、
前記端末装置に端末装置間通信設定メッセージを送信し、
前記端末装置間通信設定メッセージに含んだ物理Ｄ２Ｄ同期チャネルの期間、物理Ｄ２ＤデータチャネルのＳＡ期間及びＤ２Ｄ同期信号期間を前記端末装置のアクティブタイムに設定することを特徴とする基地局装置。
【請求項９】
請求項８記載の基地局装置であって、
前記端末装置にデバイス間データ通信用送信許可情報を送信した場合、前記デバイス間データ通信用送信許可情報で示されたデバイス間データ送信期間を前記端末装置のアクティブタイムに設定することを特徴とする基地局装置。
【請求項１０】
請求項９記載の基地局装置であって、
前記アクティブタイムに前記端末装置に下りリンク割り当て情報または上りリンク送信許可情報を送信することを特徴とする基地局装置。
【請求項１１】
基地局装置と端末装置が複数セルを介して通信を行いながら、前記端末装置が端末装置間のデータ通信であるデバイス間データ通信を行う無線通信システムの無線通信方法であって、
前記基地局装置は、
前記端末装置に間欠受信パラメータを送信ステップと、
前記端末装置から端末装置間通信要求メッセージを受信した場合、前記端末装置に端末装置間通信設定メッセージを送信ステップと、
前記端末装置は、
前記基地局装置から間欠受信パラメータを受信した場合、前記間欠受信パラメータに基づいてアクティブタイムを設定ステップと、
前記基地局装置から端末装置間通信設定メッセージを受信した場合、
前記端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定するステップを含むことを特徴とする無線通信方法。
【請求項１２】
端末装置と複数セルを介して通信を行いながら、端末装置間のデータ通信であるデバイス間データ通信のスケジューリングを行う基地局装置に適用される集積回路であって、
前記端末装置に間欠受信パラメータを送信する手段と、
前記間欠受信パラメータに基づいて前記端末装置のアクティブタイムを設定する手段と、
前記端末装置から端末装置間通信要求メッセージを受信した場合、
前記端末装置に端末装置間通信設定メッセージを送信する手段と、
前記端末装置間通信設定メッセージに含んだ物理Ｄ２Ｄ同期チャネルの期間、物理Ｄ２ＤデータチャネルのＳＡ期間及びＤ２Ｄ同期信号期間を前記端末装置のアクティブタイムに設定する手段と
前記アクティブタイムに前記端末装置に下りリンク割り当て情報または上りリンク送信許可情報を送信する手段を有することを特徴とする集積回路。
【請求項１３】
基地局装置と複数セルを介して通信を行いながら、端末装置間のデータ通信であるデバイス間データ通信を行う端末装置に適用される集積回路であって、
前記基地局装置から間欠受信パラメータを受信した場合、前記間欠受信パラメータに基づいてアクティブタイムを設定する手段と、
前記基地局装置から端末装置間通信設定メッセージを受信した場合、
前記端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定する手段と、
前記アクティブタイムに下りリンク制御チャネルをモニタする手段を有することを特徴とする集積回路。
【発明の詳細な説明】
【技術分野】
【０００１】
本発明は、無線通信システム、基地局装置および端末装置に関連し、より詳細には、端末装置の間欠受信制御に関する無線通信システム、基地局装置、端末装置、無線通信方法および集積回路に関する。
【背景技術】
【０００２】
３ＧＰＰ（3rd Generation Partnership Project）では、Ｗ−ＣＤＭＡ方式が第三世代セルラー移動通信方式として標準化され、サービスが行われている。また、通信速度を更に上げたＨＳＤＰＡも標準化され、サービスが行われている。
【０００３】
一方、３ＧＰＰでは、第三世代無線アクセスの進化（Evolved Universal Terrestrial Radio Access；以下、「EUTRA」と呼称する。）の標準化が行なわれ、サービスも行われている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。
【０００４】
また、３ＧＰＰでは、ＥＵＴＲＡの更なる進化のＡｄｖａｎｃｅｄ−ＥＵＴＲＡの議論も行われている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。
【０００５】
Ａｄｖａｎｃｅｄ−ＥＵＴＲＡでは、ＥＵＴＲＡの移動局装置も収容できるようにＥＵＴＲＡと互換性のある帯域を複数個束ねることで、最大１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : ＣＣ）と呼ばれている。コンポーネントキャリアは、セル（Cell）とも呼ばれている。また、２０ＭＨｚ以下の帯域を束ねることをキャリアアグリゲーション(Carrier Aggregation：ＣＡ)と呼ばれている（非特許文献１）。
【０００６】
また、Ａｄｖａｎｃｅｄ  ＥＵＴＲＡでは、移動局装置間（Ｄｅｖｉｃｅ  ｔｏ  Ｄｅｖｉｃｅ：Ｄ２Ｄ）通信の導入が検討されている。Ｄ２Ｄ通信においては、近接した移動局装置間のサービス（Ｐｒｏｘｉｍｉｔｙ  ｂａｓｅｄ  Ｓｅｒｖｉｃｅｓ：ＰｒｏＳｅ）として、移動局装置同士が近くに位置するか否かを確認（発見）するための仕組み（ＰｒｏＳｅ  Ｄｉｄｃｏｖｅｒｙ）や、移動局装置同士が通信を行うための仕組み（ＰｒｏＳｅ  Ｃｏｍｍｕｎｉｃａｔｉｏｎ、ＰｒｏＳｅ  Ｄｉｒｅｃｔ  Ｃｏｍｍｕｎｉｃａｔｉｏｎ、Ｄｅｖｉｃｅ−ｔｏ−Ｄｅｖｉｃｅデータ通信、Ｄ２Ｄデータ通信、デバイス間データ通信、デバイス間直接データ通信とも称する）などが主に検討されている（非特許文献２）。
【０００７】
Ｄ２Ｄ通信において、基地局装置の範囲内（in-coverage）にいる移動局装置がＤ２Ｄデータ送信を行う場合、移動局装置は、基地局装置にＤ２Ｄデータ送信するための無線リソースを要求し、基地局装置からＤ２Ｄデータ送信用無線リソースを取得してから、Ｄ２Ｄデータ送信を開始する。尚、移動局装置がＤ２Ｄ通信を行う場合、移動局装置は基地局装置と接続状態（通信状態）でＤ２Ｄ通信を行うことも可能であり、また、基地局装置と非接続状態でＤ２Ｄ通信を行うことも可能である。
【先行技術文献】
【非特許文献】
【０００８】
【非特許文献１】3GPP TS(Technical Specification)36.300、V11.5.0(2013-03)、Evolved Universal Terrestrial Radio Access(E-UTRA) and Evolved Universal Terrestrial Radio Access Network(E-UTRAN)、Overall description Stage2
【非特許文献２】3GPP TR(Technical Report)36.843、V12.0.1(2014-03)、Study on LTE Device to Device Proximity Service Radio Aspects
【発明の概要】
【発明が解決しようとする課題】
【０００９】
しかしながら、非特許文献２で示されたように移動局装置が基地局装置とのデータ通信中にＤ２Ｄ通信を開始する場合がある。基地局装置と通信を行いながらＤ２Ｄ通信を行う移動局装置が、基地局装置との通信の為の間欠受信制御を指示されている場合、移動局装置が指示された間欠受信動作を考慮して、Ｄ２Ｄ通信を行わなければ、間欠受信の効率が悪い。
【００１０】
本発明は、このような事情に鑑みてなされたものであり、移動局装置が基地局装置とのデータ通信中にＤ２Ｄ通信を行う場合に、移動局装置の間欠受信動作を効率良く動作させるための無線通信システム、基地局装置、移動局装置、無線通信方法及び集積回路を提供することを目的とする。
【課題を解決するための手段】
【００１１】
（１）上記の目的を達成するために、本発明は、以下のような手段を講じた。すなわち、本発明の無線通信システムは、基地局装置と端末装置が複数セルを介して通信を行いながら、前記端末装置が端末装置間のデータ通信であるデバイス間データ通信を行う無線通信システムであって、前記基地局装置は、前記端末装置に間欠受信パラメータを送信し、前記端末装置から端末装置間通信要求メッセージを受信した場合、前記端末装置に端末装置間通信設定メッセージを送信し、前記端末装置は、前記基地局装置から間欠受信パラメータを受信した場合、前記間欠受信パラメータに基づいてアクティブタイムを設定し、前記基地局装置から端末装置間通信設定メッセージを受信した場合、前記端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定することを特徴としている。
【００１２】
（２）また、本発明の無線通信システムにおいて、前記基地局装置は、前記アクティブタイムに前記端末装置に下りリンク割り当て情報または上りリンク送信許可情報を前記端末装置に送信し、前記端末装置は、前記アクティブタイムに下りリンク制御チャネルをモニタすることを特徴としている。
【００１３】
（３）本発明の端末装置は、基地局装置と複数セルを介して通信を行いながら、端末装置間のデータ通信であるデバイス間データ通信を行う端末装置であって、前記基地局装置から間欠受信パラメータを受信した場合、前記間欠受信パラメータに基づいてアクティブタイムを設定し、前記基地局装置から端末装置間通信設定メッセージを受信した場合、前記端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定することを特徴としている。
【００１４】
（４）また、本発明の端末装置は、前記基地局装置からデバイス間データ通信用送信許可情報を受信した場合、前記デバイス間データ通信用送信許可情報で示されたデバイス間データ送信期間をアクティブタイムに設定することを特徴としている。
【００１５】
（５）また、本発明の端末装置は、前記アクティブタイムに下りリンク制御チャネルをモニタすることを特徴としている。
【００１６】
（６）また、本発明の端末装置は、基地局装置と複数セルを介して通信を行いながら、端末装置間のデータ通信であるデバイス間データ通信を行う端末装置であって、前記基地局装置から間欠受信周期オフセット、間欠受信期間タイマーおよび受信延長期間タイマーを含む間欠受信パラメータセットを受信し、少なくとも前記間欠受信パラメータセットに基づいたアクティブタイムに下りリンク制御チャネルをモニタし、前記アクティブタイムに前記下りリンク制御チャネルで新規の下りリンクリソース割り当て情報、または、上りリンク送信許可情報を受信した場合、前記受信延長期間タイマーをスタートまたはリスタートし、前記アクティブタイムに前記下りリンク制御チャネルでデバイス間データ通信用送信許可情報を受信した場合、前記受信延長期間タイマーをスタートまたはリスタートしないことを特徴としている。
【００１７】
（７）また、本発明の端末装置は、前記アクティブタイムを少なくとも前記間欠受信期間タイマーまたは前記受信延長期間タイマーが動作している期間として設定することを特徴としている。
【００１８】
（８）本発明の基地局装置は、端末装置と複数セルを介して通信を行いながら、端末装置間のデータ通信であるデバイス間データ通信のスケジューリングを行う基地局装置であって、前記端末装置に間欠受信パラメータを送信し、前記間欠受信パラメータに基づいて前記端末装置のアクティブタイムを設定し、前記端末装置から端末装置間通信要求メッセージを受信した場合、前記端末装置に端末装置間通信設定メッセージを送信し、前記端末装置間通信設定メッセージに含んだ物理Ｄ２Ｄ同期チャネルの期間、物理Ｄ２ＤデータチャネルのＳＡ期間及びＤ２Ｄ同期信号期間を前記端末装置のアクティブタイムに設定することを特徴としている。
【００１９】
（９）また、本発明の基地局装置は、前記端末装置にデバイス間データ通信用送信許可情報を送信した場合、前記デバイス間データ通信用送信許可情報で示されたデバイス間データ送信期間を前記端末装置のアクティブタイムに設定することを特徴としている。
【００２０】
（１０）また、本発明の基地局装置は、前記アクティブタイムに前記端末装置に下りリンク割り当て情報または上りリンク送信許可情報を送信することを特徴としている。
【００２１】
（１１）本発明の無線通信方法は、基地局装置と端末装置が複数セルを介して通信を行いながら、前記端末装置が端末装置間のデータ通信であるデバイス間データ通信を行う無線通信システムの無線通信方法であって、前記基地局装置は、前記端末装置に間欠受信パラメータを送信ステップと、前記端末装置から端末装置間通信要求メッセージを受信した場合、前記端末装置に端末装置間通信設定メッセージを送信ステップと、前記端末装置は、前記基地局装置から間欠受信パラメータを受信した場合、前記間欠受信パラメータに基づいてアクティブタイムを設定ステップと、前記基地局装置から端末装置間通信設定メッセージを受信した場合、前記端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定するステップを含むことを特徴としている。
【００２２】
（１２）本発明の集積回路は、端末装置と複数セルを介して通信を行いながら、端末装置間のデータ通信であるデバイス間データ通信のスケジューリングを行う基地局装置に適用される集積回路であって、前記端末装置に間欠受信パラメータを送信する手段と、前記間欠受信パラメータに基づいて前記端末装置のアクティブタイムを設定する手段と、前記端末装置から端末装置間通信要求メッセージを受信した場合、前記端末装置に端末装置間通信設定メッセージを送信する手段と、前記端末装置間通信設定メッセージに含んだ物理Ｄ２Ｄ同期チャネルの期間、物理Ｄ２ＤデータチャネルのＳＡ期間及びＤ２Ｄ同期信号期間を前記端末装置のアクティブタイムに設定する手段と前記アクティブタイムに前記端末装置に下りリンク割り当て情報または上りリンク送信許可情報を送信する手段を有することを特徴としている。
【００２３】
（１３）また、本発明の集積回路は、基地局装置と複数セルを介して通信を行いながら、端末装置間のデータ通信であるデバイス間データ通信を行う端末装置に適用される集積回路であって、前記基地局装置から間欠受信パラメータを受信した場合、前記間欠受信パラメータに基づいてアクティブタイムを設定する手段と、前記基地局装置から端末装置間通信設定メッセージを受信した場合、前記端末装置間通信設定メッセージに含まれている物理Ｄ２Ｄ同期チャネルの期間、物理Ｄ２ＤデータチャネルのＳＡ期間及びＤ２Ｄ同期信号期間をアクティブタイムに設定する手段と、前記アクティブタイムに下りリンク制御チャネルをモニタする手段を有することを特徴としている。
【発明の効果】
【００２４】
本発明によれば、移動局装置が基地局装置とのデータ通信中に他の移動局装置とＤ２Ｄ通信を行う場合で効率のよい間欠受信動作を行うことが可能となる。また、基地局装置は移動局装置に対して効率のよいデータスケジューリングを行うことができる。
【図面の簡単な説明】
【００２５】
【図１】本発明の実施形態に係る移動局装置の構成の一例を示す図である。
【図２】本発明の実施形態に係る基地局装置の構成の一例を示す図である。
【図３】本発明の間欠受信動作の一例を示す図である。
【図４】本発明の間欠受信動作の一例を示す図である。
【図５】本発明の間欠受信動作の一例を示す図である。
【図６】ＥＵＴＲＡにおける物理チャネル構成の一例を示す図である。
【図７】ＥＵＴＲＡにおける下りリンクのチャネル構成の一例を示す図である。
【図８】ＥＵＴＲＡにおける上りリンクのチャネル構成の一例を示す図である。
【図９】基地局装置及び移動局装置の制御情報に関する通信プロトコルの構成の一例を示す図である。
【図１０】基地局装置及び移動局装置のユーザー情報に関する通信プロトコルの構成の一例を示す図である。
【図１１】従来の間欠受信動作の一例を示す図である。
【図１２】従来の間欠受信動作の一例を示す図である。
【図１３】Ｄ２Ｄ通信の一例についての説明図である。
【図１４】Ｄ２Ｄ時の物理チャネル構成の一例についての説明図である。
【発明を実施するための形態】
【００２６】
ＥＵＴＲＡの下りリンクとして、ＯＦＤＭ方式が採用されている。また、ＥＵＴＲＡの上りリンクとして、ＤＦＴ−ｓｐｒｅａｄ  ＯＦＤＭ方式のシングルキャリア通信方式が採用されている。
【００２７】
図６は、ＥＵＴＲＡの物理チャネル構成を示す図である。下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。この他に下りリンク同期信号、下りリンク参照信号の物理信号がある（非特許文献１）。
【００２８】
上りリンクの物理チャネルは、物理ランダムアクセスチャネルＰＲＡＣＨ（Physical Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている（非特許文献１）。
【００２９】
図７は、ＥＵＴＲＡの下りリンクのチャネル構成を示す図である。図７に示す下りリンクのチャネルは、それぞれ論理チャネル、トランスポートチャネル、物理チャネルから構成されている。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルによって物理層に伝達されたデータを運ぶ物理的なチャネルである。
【００３０】
下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００３１】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００３２】
下りリンクの物理チャネルには、物理報知チャネルＰＢＣＨ（Physical Broadcast Channel）、物理下りリンク制御チャネルＰＤＣＣＨ（Physical Downlink Control Channel）、物理下りリンク共用チャネルＰＤＳＣＨ（Physical Downlink Shared Channel）が含まれる。これらのチャネルは、基地局装置と移動局装置の間で送受信される。
【００３３】
次に、論理チャネルについて説明する。報知制御チャネルＢＣＣＨは、システム制御情報を報知するために使用される下りリンクチャネルである。ページング制御チャネルＰＣＣＨは、ページング情報を送信するために使用される下りリンクチャネルであり、ネットワークが移動局装置のセル位置を知らないときに使用される。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００３４】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００３５】
次に、トランスポートチャネルについて説明する。報知チャネルＢＣＨは、固定かつ事前に定義された送信形式によって、セル全体に報知される。下りリンク共用チャネルＤＬ−ＳＣＨでは、ＨＡＲＱ（Hybrid Automatic Repeat Request：ハイブリッド自動再送要求）、動的適応無線リンク制御、間欠受信（ＤＲＸ：Discontinuous Reception）がサポートされ、セル全体に報知される必要がある。
【００３６】
ページングチャネルＰＣＨでは、間欠受信（ＤＲＸ）がサポートされ、セル全体に報知される必要がある。また、ページングチャネルＰＣＨは、トラフィックチャネルや他の制御チャネルに対して動的に使用される物理リソース、すなわち物理下りリンク共用チャネルＰＤＳＣＨにマッピングされる。
【００３７】
次に、物理チャネルについて説明する。物理報知チャネルＰＢＣＨは、４０ミリ秒周期で報知チャネルＢＣＨをマッピングする。物理下りリンク制御チャネルＰＤＣＣＨは、下りリンク共用チャネルＰＤＳＣＨの無線リソース割り当て情報（下りリンク割り当て：Downlink assignment）、下りリンクデータに対するハイブリッド自動再送要求（ＨＡＲＱ）情報、および、物理上りリンク共用チャネルＰＵＳＣＨの無線リソース割り当てである上りリンク送信許可情報（上りリンクグラント：Uplink grant）を移動局装置に通知するために使用されるチャネルである。物理下りリンク共用チャネルＰＤＳＣＨは、下りリンクデータまたはページング情報を送信するために使用されるチャネルである。
【００３８】
尚、物理下りリンク制御チャネルＰＤＣＣＨは、１サブフレームの先頭からリソースブロックの１〜３シンボルＯＦＤＭに配置され、下りリンク共用チャネルＰＤＳＣＨは、残りのＯＦＤＭシンボルに配置される。１リソースブロックは、１２本のサブキャリアと７つのＯＦＤＭシンボルから構成される。１サブフレームは、２つのリソースブロックから構成され、１フレームは、１０サブフレームで構成される。
【００３９】
また、基地局装置が物理下りリンク制御チャネルＰＤＣＣＨで移動局装置に物理下りリンク共用チャネルＰＤＳＣＨの無線リソース割り当てを移動局装置に通知した場合、移動局装置に割り当てられた物理下りリンク共用チャネルＰＤＳＣＨの領域は、下りリンク割り当てが通知された物理下りリンク制御チャネルＰＤＣＣＨと同じサブフレーム内の物理下りリンク共用チャネルＰＤＳＣＨである。
【００４０】
次に、チャネルマッピングについて説明する。図７に示されるように、下りリンクでは、次のようにトランスポートチャネルと物理チャネルのマッピングが行われる。報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００４１】
また、下りリンクにおいて、次のように論理チャネルとトランスポートチャネルのマッピングが行われる。ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００４２】
図８は、ＥＵＴＲＡの上りリンクのチャネル構成を示す図である。図８に示す上りリンクのチャネルは、それぞれ論理チャネル、トランスポートチャネル、物理チャネルから構成されている。各チャネルの定義は下りリンクのチャネルと同じである。
【００４３】
上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００４４】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００４５】
上りリンクの物理チャネルには、物理上りリンク制御チャネルＰＵＣＣＨ（Physical Uplink Control Channel）、物理上りリンク共用チャネルＰＵＳＣＨ（Physical Uplink Shared Channel）と物理ランダムアクセスチャネルＰＲＡＣＨ（Physical Random Access Channel）が含まれる。これらのチャネルは、基地局装置と移動局装置の間で送受信される。尚、物理ランダムアクセスチャネルＰＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。
【００４６】
次に、論理チャネルについて説明する。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００４７】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００４８】
次に、トランスポートチャネルについて説明する。上りリンク共用チャネルＵＬ−ＳＣＨでは、ＨＡＲＱ（Hybrid Automatic Repeat Request：ハイブリッド自動再送要求）、動的適応無線リンク制御、間欠送信（ＤＴＸ：Discontinuous Transmission）がサポートされる。ランダムアクセスチャネルＲＡＣＨでは、制限された制御情報が送信される。
【００４９】
次に、物理チャネルについて説明する。物理上りリンク制御チャネルＰＵＣＣＨは、下りリンクデータに対する応答情報（ＡＣＫ／ＮＡＣＫ）、下りリンクの無線品質情報および、上りリンクデータの送信要求（スケジューリングリクエスト：Scheduling Request：ＳＲ）を基地局装置に通知するために使用されるチャネルである。物理上りリンク共用チャネルＰＵＳＣＨは、上りリンクデータを送信するために使用されるチャネルである。物理ランダムアクセスチャネルは、ランダムアクセスプリアンブルを送信するために使用されるチャネルである。
【００５０】
次に、チャネルマッピングについて説明する。図８に示されるように、上りリンクでは、次のようにトランスポートチャネルと物理チャネルのマッピングが行われる。上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、物理チャネル単独で使用される。
【００５１】
また、上りリンクにおいて、次のように論理チャネルとトランスポートチャネルのマッピングが行われる。共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００５２】
３ＧＰＰでは、ＥＵＴＲＡの更なる進化のＡｄｖａｎｃｅｄ−ＥＵＴＲＡの議論も行われている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００５３】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献１）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。複数セルを束ねて、複数セルを介して基地局装置と移動局装置が通信を行うことをキャリアアグリゲーションと言う。
【００５４】
１つの基地局装置が、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（Primary Cell：ＰＣｅｌｌ）とそれ以外のセルを第二セル（Secondary Cell：ＳＣｅｌｌ）とに分類される。第一セルには、物理上りリンク制御チャネルＰＵＣＣＨの割り当てなど特別な機能が設定されている。
【００５５】
また、移動局装置の消費電力を少なくするために、割り当て直後の第二セルに対し、移動局装置は下りリンクの受信処理を行わない（または、物理下りリンク制御チャネルＰＤＣＣＨで指示された無線リソース割り当て情報に従わない）。そして、移動局装置は、基地局装置から第二セルに対してアクティベート（Activate）を指示された後、アクティベートを指示された第二セルに対して下りリンクの受信処理を開始する（または、物理下りリンク制御チャネルＰＤＣＣＨで指示された無線リソース割り当て情報に従う）ようにしている。
【００５６】
また、移動局装置は、基地局装置からアクティベートしている第二セルに対してデアクティベート（deactivate）を指示された後、デアクティベートを指示された第二セルに対して下りリンクの受信処理を停止する（または、物理下りリンク制御チャネルＰＤＣＣＨで指示された無線リソース割り当て情報に従わない）ようにしている。尚、基地局装置からアクティベートを指示され、下りリンクの受信処理を行っている第二セルをアクティベートセルと言い、また、基地局装置から移動局装置への割り当て直後の第二セル及びデアクティベートを指示され、下りリンクの受信処理を停止している第二セルをデアクティベートセルと言う。また、第一セルは、常にアクティベートセルである。
【００５７】
尚、Ａｄｖａｎｃｅｄ−ＥＵＴＲＡでは、物理下りリンク制御チャネルＰＤＣＣＨを拡張させた拡張物理下りリンク制御チャネルＥＰＤＣＣＨ（Enhanced Physical Downlink Control Channel）が追加されている。
【００５８】
図９は、ＥＵＴＲＡの移動局装置及び基地局装置の制御データを扱うプロトコルスタック（Protocol stack）である。図１０は、ＥＵＴＲＡの移動局装置及び基地局装置のユーザーデータを扱うプロトコルスタックである。図９及び図１０について以下で説明する。
【００５９】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。移動局装置と基地局装置のＰＨＹ層間において、物理チャネルを介してデータの送受信が行われる。
【００６０】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザー情報を伝送するトラフィックチャネルに分けられる。ＭＡＣ層は、間欠受送信（ＤＲＸ・ＤＴＸ）を行うためにＰＨＹ層の制御を行う機能、送信電力の情報を通知する機能、ＨＡＲＱ制御を行う機能等を持っている。
【００６１】
また、ＭＡＣ層は、各論理チャネルに対応する送信バッファのデータ量を通知する機能を持っている。この機能をバッファステータスレポート（Buffer Status Report：ＢＳＲ）と言う。ＢＳＲでは、各論理チャネルを論理チャネルグループ（Logical Channel Group：ＬＣＧ）に割り当て、各ＬＣＧに対する送信バッファ量をＭＡＣ層のメッセージとして基地局装置に通知する。ＢＳＲがトリガされる条件の例として、１つの定期的なタイマーが満了した場合にＢＳＲがトリガされ、ＢＳＲを通知する。
【００６２】
また、ＭＡＣ層は、キャリアアグリゲーションを行う場合、セルのアクティベーション／デアクティベーションを行うためにＰＨＹ層の制御を行う機能及び上りリンクの送信タイミングを管理するためにＰＨＹ層の制御を行う機能も持っている。
【００６３】
ＲＬＣ層は、上位層から受信したデータを分割（Segmentation）及び連結(Concatenation)し、下位層が適切にデータ送信できるようにデータサイズを調節する。また、ＲＬＣ層は、各データが要求するＱｏＳ（Quality of Service）を保証するための機能も持つ。すなわち、ＲＬＣ層は、データの再送制御等の機能を持つ。
【００６４】
パケットデータコンバージェンスプロトコル層（Packet Data Convergence Protocol layer：ＰＤＣＰ層）は、ユーザーデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００６５】
無線リソース制御層（Radio Resource Control layer：ＲＲＣ層）は、制御情報のみ定義される。ＲＲＣ層は、無線ベアラ（Radio Bearer：ＲＢ）の設定・再設定を行い、論理チャネル、トランスポートチャネル及び物理チャネルの制御を行う。ＲＢは、シグナリグ無線ベアラ（Signaling Radio Bearer：ＳＲＢ）とデータ無線ベアラ（Data Radio Bearer：ＤＲＢ）とに分けられ、ＳＲＢは、制御情報であるＲＲＣメッセージを送信する経路として利用される。ＤＲＢは、ユーザー情報を送信する経路として利用される。基地局装置と移動局装置のＲＲＣ層間で各ＲＢの設定が行われる。
【００６６】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００６７】
間欠受信（ＤＲＸ：Discontinuous Reception）制御／間欠送信（ＤＴＸ：Discontinuous Transmission）制御について以下に説明する。ＥＵＴＲＡにおいて、基地局装置による各移動局装置への無線リソース割り当て（無線リソーススケジューリング）を効率的に行うため、また、移動局装置の消費電力低減などのために間欠受信制御／間欠送信制御が行われる。間欠受信制御は、複数種類のタイマーを用いて管理される。移動局装置は、基地局装置から間欠受信（ＤＲＸ）パラメータセット（間欠受信開始オフセット、間欠受信周期（ＤＲＸ  ｃｙｃｌｅ）、間欠受信期間タイマー(ｏｎ  Ｄｕｒａｔｉｏｎ  ｔｉｍｅｒ)、受信延長期間タイマー（Ｉｎａｃｔｉｖｉｔｙ  ｔｉｍｅｒ）、再送信期間タイマー（Ｒｅｔｒａｎｓｍｉｓｓｉｏｎ  ｔｉｍｅｒ）等）を受信すると各タイマーを用いて間欠受信制御を開始する。
【００６８】
図１１に移動局装置の間欠受信時の動作例を示す。間欠受信周期とは、間欠受信を行う周期であり、間欠受信期間の開始位置から次の間欠受信期間の開始位置までの期間の長さを示す。間欠受信期間とは、１つの間欠受信周期の中で物理下りリンク制御チャネルＰＤＣＣＨ、または、拡張物理下りリンク制御チャネルＥＰＤＣＣＨを監視（モニタ：monitor）する期間（１つの間欠受信周期の中で物理下りリンク制御チャネルＰＤＣＣＨ、または、拡張物理下りリンク制御チャネルＥＰＤＣＣＨの受信処理を行う期間）である。間欠受信期間タイマーは、間欠受信期間の開始位置でスタートされる。
【００６９】
再送信期間とは、物理下りリンク共用チャネルＰＤＳＣＨにおいての下りリンクデータ受信に失敗し、基地局装置から再送信データが送信される可能性のある期間である。移動局装置は再送信期間に物理下りリンク制御チャネルＰＤＣＣＨ、または、拡張物理下りリンク制御チャネルＥＰＤＣＣＨを監視する。
【００７０】
受信延長期間とは、物理下りリンク制御チャネルＰＤＣＣＨ、または、拡張物理下りリンク制御チャネルＥＰＤＣＣＨで、アクティブタイム（Active time）に新規の自移動局装置宛ての下りリンク割り当て情報／上りリンク送信許可情報を検出した場合に、物理下りリンク制御チャネルＰＤＣＣＨ、または、拡張物理下りリンク制御チャネルＥＰＤＣＣＨの監視を延長する期間である。
【００７１】
尚、受信延長期間タイマーは、物理下りリンク制御チャネルＰＤＣＣＨ、または、拡張物理下りリンク制御チャネルＥＰＤＣＣＨで自移動局装置宛ての下りリンク割り当て情報／上りリンク送信許可情報を検出したサブフレームの次のサブフレームでスタートされる。間欠受信開始オフセットは間欠受信期間の開始位置に関する情報であり、間欠受信開始オフセットに基づいて、間欠受信期間の開始位置が決定される。また、各タイマーのタイマー値は、サブフレームの数で表わされてもよい。
【００７２】
また、間欠受信周期には、長期間間欠受信周期（Ｌｏｎｇ  ＤＲＸ  ｃｙｃｌｅ）と短期間間欠受信周期（Ｓｈｏｒｔ  ＤＲＸ  ｃｙｃｌｅ）がある。基地局装置から両方の間欠受信周期が設定された場合、移動局装置は、最初に短期間間欠受信周期で間欠受信制御を行い、一定期間（短期間間欠受信周期期間）の後、長期間間欠受信周期の間欠受信制御を行う。
【００７３】
尚、短期間間欠受信周期期間は、短期間間欠受信周期での間欠受信動作中に移動局装置が物理下りリンク制御チャネルＰＤＣＣＨを受信後から短期間間欠受信周期期間で示された期間内に再度、物理下りリンク制御チャネルＰＤＣＣＨを受信しない場合に長期間間欠受信周期での間欠受信動作に移行するための期間である。短期間間欠受信周期期間の長さは、短期間間欠受信周期の数で表わすようにしても良い。
【００７４】
間欠受信制御中、移動局装置は、アクティブタイム（Active time）の間、物理下りリンク制御チャネルＰＤＣＣＨ、または、拡張物理下りリンク制御チャネルＥＰＤＣＣＨを監視する。尚、アクティブタイムとは、ＤＲＸパラメータで与えられた間欠受信期間タイマー、再送信期間タイマー、受信延長期間タイマーが動作している期間を示す。また、アクティブタイムは、ＤＲＸパラメータで設定された期間以外に移動局装置の状態によって決定される期間を示す。
【００７５】
キャリアアグリゲーション中の移動局装置は、全てのセルに対して同じ間欠受信動作を行う。図１２の例に示すようにキャリアアグリゲーション中の移動局装置は、同じ間欠受信周期、間欠受信期間で物理下りリンク制御チャネルＰＤＣＣＨ、または、拡張物理下りリンク制御チャネルＥＰＤＣＣＨを監視する。
【００７６】
そして、移動局装置が１つのセルの物理下りリンク制御チャネルＰＤＣＣＨ、または、拡張物理下りリンク制御チャネルＥＰＤＣＣＨで自移動局装置宛ての下りリンク割り当て情報／上りリンク送信許可情報を受信した場合、キャリアアグリゲーション中の全てのセルで物理下りリンク制御チャネルＰＤＣＣＨ、または、拡張物理下りリンク制御チャネルＥＰＤＣＣＨの監視期間を設定された受信延長期間分だけ監視を延長する。
【００７７】
また、Ａｄｖａｎｃｅｄ  ＥＵＴＲＡでは、移動局装置間（Ｄｅｖｉｃｅ  ｔｏ  Ｄｅｖｉｃｅ：Ｄ２Ｄ）通信の導入が検討されている。Ｄ２Ｄ通信においては、近接した移動局装置間のサービス（Ｐｒｏｘｉｍｉｔｙ  ｂａｓｅｄ  Ｓｅｒｖｉｃｅｓ：ＰｒｏＳｅ）として、移動局装置同士が近くに位置するか否かを確認（発見）するための仕組み（ＰｒｏＳｅ  Ｄｉｄｃｏｖｅｒｙ）や、移動局装置同士が通信を行うための仕組み（ＰｒｏＳｅ  Ｃｏｍｍｕｎｉｃａｔｉｏｎ、ＰｒｏＳｅ  Ｄｉｒｅｃｔ  Ｃｏｍｍｕｎｉｃａｔｉｏｎ、Ｄｅｖｉｃｅ−ｔｏ−Ｄｅｖｉｃｅデータ通信、Ｄ２Ｄデータ通信、デバイス間データ通信、デバイス間直接データ通信とも称する）などが主に検討されている（非特許文献２）。
【００７８】
Ｄ２Ｄ通信の中でも、近接した移動局装置間のサービス（Ｐｒｏｘｉｍｉｔｙ  ｂａｓｅｄ  Ｓｅｒｖｉｃｅｓ：ＰｒｏＳｅ）として、移動局装置同士が近くに位置するか否かを確認（発見）するための仕組み（ＰｒｏＳｅ  ＤｉｓｃｏｖｅｒｙまたはＤ２Ｄ  Ｄｉｓｃｏｖｅｒｙ）と、移動局装置同士が通信を行うための仕組み（ＰｒｏＳｅ  ＣｏｍｍｕｎｉｃａｔｉｏｎまたはＤ２Ｄ  Ｃｏｍｍｕｎｉｃａｔｉｏｎ）とが主に検討されている。
【００７９】
ＰｒｏＳｅ  Ｄｉｓｃｏｖｅｒｙメッセージの送信は、基地局装置との無線接続が確立された状態（ＲＲＣ＿ＣＯＮＮＥＣＴＥＤ状態または接続状態）であっても確立されていない状態（ＲＲＣ＿ＩＤＬＥ状態またはアイドル状態）であっても行える。
【００８０】
また、移動局装置間で信号やメッセージを送信する場合であっても、移動局装置による送信はネットワークの制御下にあってもよいし、なくてもよい。すなわち、移動局装置が非無線接続状態であっても、ネットワークがＰｒｏＳｅ  Ｄｉｓｃｏｖｅｒｙの信号やメッセージを送信するための無線リソースやパラメータや送信時の状態（無線接続状態か非無線接続状態か）を制御できてもよい。
【００８１】
ＰｒｏＳｅ  Ｃｏｍｍｕｎｉｃａｔｉｏｎ（デバイス間データ通信）において、通信がグループキャストあるいはブロードキャストで行われる場合は、ＰｒｏＳｅ  Ｄｉｓｃｏｖｅｒｙによる通信相手発見のステップは必ずしも必要ではない。
【００８２】
ＰｒｏＳｅ  Ｃｏｍｍｕｎｉｃａｔｉｏｎの信号には様々なものが考えられるが、ＥＵＴＲＡのＰＵＳＣＨと同様の構造を持つ物理チャネルを用いてもよい。
【００８３】
また、ＰｒｏＳｅ  Ｃｏｍｍｕｎｉｃａｔｉｏｎにおいて、移動局装置が使用するリソースとして、スケジューリング割り当て（Ｓｃｈｅｄｕｌｉｎｇ  ａｓｓｉｇｎｍｅｎｔｓ：ＳＡ）を受信するためのリソースがリソースプールとして移動局装置に提供される。移動局装置はリソースプールとして指定されるリソース（時間、および周波数）においてＳＡを受信することで自局宛のデータの有無を判断する。リソースプールは、予め設定されてもよいし、基地局装置から通知（あるいは報知）されてもよいし、他の移動局装置から通知（あるいは報知）されてもよい。
【００８４】
さらに、ＳＡを移動局装置が送信するための方法として、移動局装置が基地局装置へ送信要求を行い、それに対して送信リソースが割り当てられる方法（以降、Ｍｏｄｅ１あるいはスケジュール型（Ｓｃｈｅｄｕｌｅｄ）とも称する）、または、移動局装置が報知情報や予め設定されたリソースを送信リソースとして用いる方法（以降、Ｍｏｄｅ２あるいは自律型（Ａｕｔｏｎｏｍｏｕｓ）とも称する）とが用いられてもよい。
【００８５】
デバイス間データ通信の利用が許可された移動局装置は、デバイス間データ通信をサポートしている基地局装置によってＭｏｄｅ２データ通信の使用が許可される場合にはアイドル状態においてＭｏｄｅ２のデータ通信を行ない、Ｍｏｄｅ２データ通信の使用が許可されない場合はＭｏｄｅ１のデータ通信を行うために基地局装置に接続するようにしてもよい。
【００８６】
ＰｒｏＳｅ  Ｃｏｍｍｕｎｉｃａｔｉｏｎでは、１対Ｍ（Ｍは自然数）のブロードキャスト通信が用いられる場合、ある移動局装置が送信する信号は、他の複数の移動局装置が受信することができ、送信する移動局装置と受信する移動局装置は役割を入れ替えることも可能である。また、ブロードキャスト通信は、公安（Ｐｕｂｌｉｃ  ｓａｆｅｔｙ）目的の場合は、基地局装置の範囲外(out of coverage)であっても行えるようにする必要がある。また、ブロードキャスト通信は、専用の周波数（Ｄｅｄｉｃａｔｅｄ  ｃａｒｒｉｅｒ）および基地局装置を介する通常の通信サービスに用いられる周波数の両方をサポートする。
【００８７】
また、ブロードキャスト通信は一方向通信であるため、レイヤ２（ＭＡＣ／ＲＬＣ／ＰＤＣＰ層）でのフィードバックを想定しない。すなわち、ＭＡＣ層ではＨＡＲＱによる再送制御が行われず、ＲＬＣ層ではＡＲＱによる誤り訂正を行わない非応答モード（Ｕｎａｃｋｎｏｗｌｅｄｇｅ  Ｍｏｄｅ：ＵＭ）で通信が行われる。１対１の通信が用いられる場合には、上記１対Ｍのブロードキャスト通信を適用（Ｍ＝１）することも考えられるし、ユニキャスト通信を行うことにより、レイヤ２でのフィードバックを行うことも考えられる。
【００８８】
また、デバイス間データ通信を行うためのパラメータとして、ＳＡプールのタイプ情報（Ｍｏｄｅ１かＭｏｄｅ２か共通か）や、ＳＡ期間情報（ＳＡ送信リソースの配置周期）や、Ｍｏｄｅ２のデータ送信に用いるサブフレーム情報や、ＳＡリソースプールの物理リソースブロック位置情報（開始位置や終了位置）などが、基地局装置（および基地局装置の範囲外の移動局装置に情報を転送する移動局装置）から移動局装置に報知または通知される。
【００８９】
図１３にＥＵＴＲＡでのＤ２Ｄを含めた概要図を示す。図１３において、移動局装置１１−１〜１−３を移動局装置１という。セルは、基地局装置３がカバーするエリア（範囲）を示す。移動局装置１−１および移動局装置１−２は、セルの範囲内（in-coverage）である。移動局装置１−３は、セルの範囲外（out-of-coverage）である。尚、移動局装置１−１は、基地局装置３と通信が確立された状態（ＲＲＣ＿ＣＯＮＮＥＣＴＥＤ状態）であり、移動局装置１−２は、アイドル状態（ＲＲＣ＿ＩＤＬＥ状態）である。
【００９０】
上りリンクは、移動局装置１−１から基地局装置３への無線リンクである。下りリンクは、基地局装置３から移動局装置１−１への無線リンクである。Ｄ２Ｄリンクは、移動局装置１間の無線リンクである。尚、Ｄ２ＤリンクをＤ２Ｄ通信路、ＰｒｏＳｅリンク、または、ＰｒｏＳｅ通信路とも称する。Ｄ２Ｄリンクにおいて、Ｄ２Ｄ  ＤｉｓｃｏｖｅｒｙまたはＤ２Ｄ  Ｃｏｍｍｕｎｉｃａｔｉｏｎが行われる。以下では、Ｄ２Ｄ  ＤｉｓｃｏｖｅｒｙまたはＤ２Ｄ  Ｃｏｍｍｕｎｉｃａｔｉｏｎを単にＤ２Ｄと称する。
【００９１】
移動局装置１間のＤ２Ｄリンクの無線通信では、物理Ｄ２Ｄ同期チャネルＰＤ２ＤＳＣＨ（Physical Device to Device Synchronization Channel）、物理Ｄ２ＤデータチャネルＰＤ２ＤＤＣＨ（Physical D2D Data Channel）のＤ２Ｄ物理チャネルが用いられる。また、Ｄ２Ｄ同期信号（D2D Synchronization Signal:Ｄ２ＤＳＳ）およびＤ２Ｄ参照信号（D2D Reference Signal: Ｄ２ＤＲＳ）のＤ２Ｄ物理信号が用いられる。
【００９２】
尚、Ｄ２Ｄ物理チャネルおよびＤ２Ｄ物理信号は、ＥＵＴＲＡの範囲内では上りリンクの周波数に配置される。例えば、図１４に示すように、Ｄ２Ｄ物理チャネルおよびＤ２Ｄ物理信号は、物理上りリンク制御チャネルＰＵＣＣＨ、物理上りリンク共用チャネルＰＵＳＣＨおよび物理ランダムアクセスチャネルＰＲＡＣＨと混在して配置される。
【００９３】
物理Ｄ２Ｄ同期チャネルＰＤ２ＤＳＣＨは、同期に関する情報を送信するために用いられる。例えば、同期に関する情報は、Ｄ２Ｄフレーム番号、または、ＳＦＮ（System Frame Number）を示す情報などを含む。
【００９４】
物理Ｄ２ＤデータチャネルＰＤ２ＤＤＣＨは、Ｄ２Ｄデータ（ProSe communication Shared Channel: PSCH）およびＤ２ＤＳＡ（Device to Device Scheduling Assignment）を送信するために用いられる。Ｄ２ＤデータおよびＤ２ＤＳＡは同じ物理Ｄ２ＤデータチャネルＰＤ２ＤＤＣＨに割り当てられない。Ｄ２ＤＳＡは、Ｄ２Ｄデータの送信のために用いられる物理Ｄ２ＤデータチャネルＰＤ２ＤＤＣＨのスケジューリングのために用いられる。
【００９５】
Ｄ２ＤＳＡは、Ｄ２Ｄデータの送信のために用いられる物理Ｄ２ＤデータチャネルＤ２ＤＤＣＨのリソースを示す情報、宛先識別子（destination identity）を示す情報、ソース識別子（source identity）を示す情報などを含む。尚、Ｄ２Ｄ Ｄｉｓｃｏｖｅｒｙに対応するＤ２ＤデータおよびＤ２ＤＳＡをＤｉｓｃｏｖｅｒｙ信号と称する。Ｄ２Ｄ通信に対応するＤ２ＤデータおよびＤ２ＤＳＡをＣｏｍｍｕｎｉｃａｔｉｏｎ信号と称する。
【００９６】
物理Ｄ２ＤデータチャネルＰＤ２ＤＤＣＨは、物理上りリンク共用チャネルＰＵＳＣＨ（Physical Uplink Shared Channel）であってもよい。すなわち、Ｄ２ＤデータおよびＤ２ＤＳＡの送信のために物理上りリンク共用チャネルＰＵＳＣＨが使用されてもよい。本実施形態では、Ｄ２Ｄのために使用される物理上りリンク共用チャネルＰＵＳＣＨを物理Ｄ２ＤデータチャネルＰＤ２ＤＤＣＨと称する。
【００９７】
Ｄ２Ｄ同期信号は、Ｄ２Ｄリンクにおける同期をとるために用いられる。Ｄ２Ｄ同期信号は、プライマリーＤ２Ｄ同期信号（Primary D2D Synchronization Signal：ＰＤ２ＤＳＳ）およびセカンダリーＤ２Ｄ同期信号（Secondary D2D synchronization Signal：ＳＤ２ＤＳＳ）を含む。Ｄ２Ｄ同期信号は、物理Ｄ２Ｄ同期チャネルＰＤ２ＤＳＣＨの送信に関連する。Ｄ２Ｄ同期信号は、物理Ｄ２Ｄ同期チャネルＰＤ２ＤＳＣＨと時間多重されてもよい。
【００９８】
Ｄ２Ｄ参照信号は、物理Ｄ２Ｄ同期チャネルＰＤ２ＤＳＣＨまたは物理Ｄ２ＤデータチャネルＰＤ２ＤＤＣＨの送信に関連する。Ｄ２Ｄ参照信号は、物理上りリンク共用チャネルまたは物理上りリンク制御チャネルと時間多重されてもよい。
【００９９】
送信する移動局装置１の観点から、移動局装置１は、Ｄ２Ｄ通信の無線リソース割り当てに対する２つのモード（Ｍｏｄｅ１、Ｍｏｄｅ２）で動作できる。
【０１００】
Ｍｏｄｅ１において、基地局装置３は、Ｃｏｍｍｕｎｉｃａｔｉｏｎ信号（Ｄ２ＤデータおよびＤ２ＤＳＡ）の送信のために移動局装置１によって使用されるリソースをスケジュールする。
【０１０１】
Ｍｏｄｅ２において、移動局装置１は、Ｃｏｍｍｕｎｉｃａｔｉｏｎ信号（Ｄ２ＤデータおよびＤ２ＤＳＡ）の送信のためにリソースプールからリソースを選択する。リソースプールは、リソースのセットである。Ｍｏｄｅ２に対するリソースプールは、基地局装置３によって準静的（semi-static）に設定／制限されてもよい、または、Ｍｏｄｅ２に対するリソースプールは予め設定（pre-configured）されていてもよい。
【０１０２】
基地局装置３の範囲内（in-coverage）のＤ２Ｄの能力を持つ移動局装置１は、Ｍｏｄｅ１およびＭｏｄｅ２をサポートしてもよい。Ｄ２Ｄの能力を持つ、基地局装置３の範囲外（out-of-coverage）の移動局装置１は、Ｍｏｄｅ２のみをサポートしてもよい。
【０１０３】
Ｄ２Ｄ  Ｄｉｓｃｏｖｅｒｙ手順として２つのタイプ（タイプ１、タイプ２）が定義される。タイプ１のＤ２Ｄ  Ｄｉｓｃｏｖｅｒｙ手順は、Ｄｉｓｃｏｖｅｒｙ信号に対するリソースが移動局装置１に対して個別に割り当てられないＤ２Ｄ  Ｄｉｓｃｏｖｅｒｙ手順である。すなわち、タイプ１のＤ２Ｄ  Ｄｉｓｃｏｖｅｒｙ手順において、Ｄｉｓｃｏｖｅｒｙ信号に対するリソースは全ての移動局装置１または端末装置１のグループに対して割り当てられてもよい。
【０１０４】
タイプ２のＤ２Ｄ  Ｄｉｓｃｏｖｅｒｙ手順は、Ｄｉｓｃｏｖｅｒｙ信号に対するリソースが移動局装置１に対して個別に割り当てられるＤ２Ｄ  Ｄｉｓｃｏｖｅｒｙ手順である。リソースがＤｉｓｃｏｖｅｒｙ信号の個別の送信インスタンス（instance）のそれぞれに対して割り当てられるＤｉｓｃｏｖｅｒｙ手順を、タイプ２Ａ  Ｄｉｓｃｏｖｅｒｙ手順と称する。リソースがＤｉｓｃｏｖｅｒｙ信号の送信のために準永続的（semi-persistently）に割り当てられるタイプ２のＤｉｓｃｏｖｅｒｙ手順を、タイプ２Ｂ  Ｄｉｓｃｏｖｅｒｙ手順と称する。
【０１０５】
（実施形態）
[構成説明]
図１は、本発明の実施形態に係る移動局装置の構成を示す図である。移動局装置１−１〜１−３は、データ生成部１０１、送信データ記憶部１０３、Ｄ２Ｄ送信処理部１０５、送信処理部１０７、無線部１０９、Ｄ２Ｄ受信処理部１１１、受信処理部１１３、ＭＡＣ情報抽出部１１５、データ処理部１１７、ＰＨＹ制御部１１９、ＭＡＣ制御部１２１、および、ＲＲＣ制御部１２３から構成される。
【０１０６】
上位層からのユーザーデータおよびＲＲＣ制御部１２３からの制御データは、データ生成部１０１に入力される。データ生成部１０１は、ＰＤＣＰ層、ＲＬＣ層の機能を持つ。データ生成部１０１は、ユーザーデータのＩＰパケットのヘッダ圧縮やデータの暗号化、データの分割及び結合等の処理を行い、データサイズを調節する。データ生成部１０１は、処理を行ったデータを送信データ記憶部１０３に出力する。
【０１０７】
送信データ記憶部１０３は、データ生成部１０１から入力されたデータを蓄積し、ＭＡＣ制御部１２１からの指示に基づいて指示されたデータを指示されたデータ量分だけＤ２Ｄ送信処理部１０５または送信処理部１０７に出力する。また、送信データ記憶部１０３は、蓄積されたデータのデータ量の情報をＭＡＣ制御部１２１に出力する。
【０１０８】
Ｄ２Ｄ送信処理部１０５は、入力データに符号化を行い、符号化したデータにパンクチャ処理を行う。また、Ｄ２Ｄ送信処理部１０５は、パンクチャ処理したデータに変調を行う。Ｄ２Ｄ送信処理部１０５は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理Ｄ２ＤデータチャネルＰＤ２ＤＤＣＨに配置し、無線部１０９に出力する。
【０１０９】
送信処理部１０７は、入力データに符号化を行い、符号化したデータにパンクチャ処理を行う。そして、送信処理部１０７は、符号化したデータを保存する。送信処理部１０７は、ＭＡＣ制御部１２１からデータの再送を指示された場合、保存してある符号化したデータから前回に行なったパンクチャと異なるパンクチャ処理を行う。
【０１１０】
送信処理部１０７は、パンクチャ処理したデータに変調を行う。送信処理部１０７は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理上りリンク共用チャネルＰＵＳＣＨに配置し、無線部１０９に出力する。
【０１１１】
また、送信処理部１０７は、ＰＨＹ制御部１１９から受信データの応答指示があった場合、ＡＣＫまたはＮＡＣＫ信号を生成し、生成した信号を物理上りリンク制御チャネルＰＵＣＣＨに配置し、無線部１０９に出力する。送信処理部１０７は、ＰＨＹ制御部１１９からランダムアクセスプリアンブルの送信指示があった場合、ランダムアクセスプリアンブルを生成し、生成した信号を物理ランダムアクセスチャネルＰＲＡＣＨに配置し、無線部１０９に出力する。
【０１１２】
無線部１０９は、Ｄ２Ｄ送信処理部１０５、または、送信処理部１０７から入力されたデータをＰＨＹ制御部１１９から指示された送信位置情報の無線周波数にアップコンバートし、送信電力を調整して送信アンテナからデータを送信する。また、無線部１０９は、受信アンテナより受信した無線信号をダウンコンバートし、Ｄ２Ｄ受信処理部１１１、または、受信処理部１１３に出力する。
【０１１３】
Ｄ２Ｄ受信処理部１１１は、無線部１０９から入力された信号をＦＦＴ（Fast Fourier Transform（高速フーリエ変換））処理、復号化、復調処理等を行なう。Ｄ２Ｄ受信処理部１１１は、物理Ｄ２ＤデータチャネルＰＤ２ＤＤＣＨのＤ２ＤＳＡ（D2D Scheduling Assignment）期間の復調を行い、自移動局装置または自移動局装置が属しているグループに対するＤ２Ｄ割り当て情報を検出した場合、Ｄ２Ｄ割り当て情報に基づいて、物理Ｄ２ＤデータチャネルＰＤ２ＤＤＣＨのデータ期間の復調を行う。
【０１１４】
Ｄ２Ｄ受信処理部１１１は、復調した物理Ｄ２ＤデータチャネルＰＤ２ＤＤＣＨのデータの復号処理を行い、復号処理に成功した場合、データをＭＡＣ情報抽出部１１５に出力する。
【０１１５】
受信処理部１１３は、無線部１０９から入力された信号をＦＦＴ（Fast Fourier Transform（高速フーリエ変換））処理、復号化、復調処理等を行なう。受信処理部１１３は、物理下りリンク制御チャネルＰＤＣＣＨまたは物理拡張下りリンク制御チャネルＥＰＤＣＣＨの復調を行い、自移動局装置の下りリンク割り当て情報を検出した場合、下りリンク割り当て情報に基づいて、物理下りリンク共用チャネルＰＤＳＣＨの復調を行う。また、受信処理部１１３は、下りリンク割り当て情報を取得したことをＭＡＣ制御部１２１に出力する。
【０１１６】
受信処理部１１３は、物理下りリンク制御チャネルＰＤＣＣＨまたは物理拡張下りリンク制御チャネルＥＰＤＣＣＨの復調を行い、上りリンク送信許可情報（Uplink grant:上りリンクグラント）、上りリンク送信データの応答情報（ＡＣＫ／ＮＡＣＫ）を検出した場合、取得した応答情報をＭＡＣ制御部１２１に出力する。尚、上りリンク送信許可情報は、データの変調・符号化方式、データサイズ情報、ＨＡＲＱ情報、送信位置情報などがある。
【０１１７】
また、受信処理部１１３は、Ｄ２Ｄ送信許可情報（D2D grant:D2Dグラント）を検出した場合、取得した応答情報をＭＡＣ制御部１２１に出力する。尚、Ｄ２Ｄ送信許可情報は、データの変調・符号化方式、データサイズ情報、送信位置情報などがある。
【０１１８】
ＭＡＣ情報抽出部１１５は、Ｄ２Ｄ受信処理部１１１または受信処理部１１３から入力されたデータからＭＡＣ層（Medium Access Control layer）の制御データを抽出し、抽出したＭＡＣ制御情報をＭＡＣ制御部１２１に出力する。ＭＡＣ情報抽出部１１５は、残りのデータをデータ処理部１１７に出力する。データ処理部１１７は、ＰＤＣＰ層、ＲＬＣ層の機能を持ち、圧縮されたＩＰヘッダの伸張機能や暗号化されたデータの復号機能、データの分割及び結合等の処理を行い、データを元の形に戻す。データ処理部１１７は、ＲＲＣメッセージとユーザーデータに分け、ＲＲＣメッセージをＲＲＣ制御部１２３に出力し、ユーザーデータを上位層に出力する。
【０１１９】
ＰＨＹ制御部１１９は、ＭＡＣ制御部１２１からの指示によりＤ２Ｄ送信処理部１０５、送信処理部１０７、無線部１０９、Ｄ２Ｄ受信処理部１１１、および、受信処理部１１３を制御する。ＰＨＹ制御部１１９は、ＭＡＣ制御部１２１から通知された変調・符号化方式、送信電力情報および送信位置情報（送信セル情報）から変調・符号化方式および送信位置をＤ２Ｄ送信処理部１０５または送信処理部１０７に通知し、送信セルの周波数情報および送信電力情報を無線部１０９に通知する。また、ＰＨＹ制御部１１９は、ＭＡＣ制御部１２１の指示により、Ｄ２Ｄ送信処理部１０５、送信処理部１０７、無線部１０９、Ｄ２Ｄ受信処理部１１１、および受信処理部１１３の電源制御を行う。
【０１２０】
ＭＡＣ制御部１２１は、ＭＡＣ層の機能を持ち、ＲＲＣ制御部１２３や下位層などから取得した情報をもとにＭＡＣ層の制御を行う。ＭＡＣ制御部１２１は、ＲＲＣ制御部１２３から指定されたデータ送信制御設定および送信データ記憶部１０３から取得したデータ量情報および受信処理部１１３から取得した上りリンク送信許可情報をもとにデータ送信優先順位を決定し、送信するデータに関する情報を送信データ記憶部１０３に通知する。また、ＭＡＣ制御部１２１は、送信処理部１０７にＨＡＲＱ情報を通知し、ＰＨＹ制御部１１９に変調・符号化方式および送信位置情報を出力する。
【０１２１】
ＭＡＣ制御部１２１は、受信処理部１１３から上りリンク送信データに対する応答情報を取得し、応答情報がＮＡＣＫ（否応答）を示していた場合、送信処理部１０７とＰＨＹ制御部１１９に再送を指示する。ＭＡＣ制御部１２１は、受信処理部１１３からデータの復号処理の成否情報を取得した場合、ＰＨＹ制御部１１９にＡＣＫまたはＮＡＣＫ信号を送信するように指示する。
【０１２２】
また、Ｄ２Ｄを行っている場合、ＭＡＣ制御部１２１は、ＲＲＣ制御部１２３から指定されたＤ２Ｄデータのデータ送信制御設定、送信データ記憶部１０３から取得したデータ量情報および受信処理部１１３から取得したＤ２Ｄ送信許可情報をもとにデータ送信優先順位を決定し、送信するデータに関する情報を送信データ記憶部１０３に通知する。また、ＭＡＣ制御部１２１は、ＰＨＹ制御部１１９に変調・符号化方式および送信位置情報を出力する。
【０１２３】
ＭＡＣ制御部１２１は、ＭＡＣ情報抽出部１１５から入力されたＭＡＣ制御情報の中でセル（または、コンポーネントキャリア）のアクティベーション／デアクティベーション指示情報及び間欠受信（ＤＲＸ）制御情報を取得した場合、アクティベーション／デアクティベーション制御、間欠受信制御を行うために無線部１０９、Ｄ２Ｄ送信処理部１０５、送信処理部１０７、Ｄ２Ｄ受信処理部１１１及び受信処理部１１３の動作開始／動作停止制御を行うためにＰＨＹ制御部１１９を制御する。尚、ＭＡＣ制御部１２１は、ＲＲＣ制御部１２３からＤ２Ｄ通信の開始／停止の指示があった場合、Ｄ２Ｄ送信処理部１０５、Ｄ２Ｄ受信処理部１１１の動作開始／動作停止制御を行うためにＰＨＹ制御部１１９を制御する。
【０１２４】
ＭＡＣ制御部１２１は、ＲＲＣ制御１２３から取得した間欠受信パラメータの各タイマーを適用する。ＭＡＣ制御部１２１は、間欠受信開始オフセットと間欠受信周期に基づいて、間欠受信開始フレームを決定する。ＭＡＣ制御部１２１は、間欠受信開始フレームになった場合、間欠受信期間タイマーをスタートする。
【０１２５】
アクティブタイム（active time）に、ＭＡＣ制御部１２１は受信処理部１１３から新規の下りリンク割り当て情報／上りリンク送信許可情報を取得した場合、全セルの受信延長期間タイマーをスタートする。また、ＭＡＣ制御部１２１は、下りリンクデータの受信に失敗し、基地局装置３から再送信データが送信される可能性があると判断した場合、再送信期間タイマーをスタートする。ＭＡＣ制御部１２１は、間欠受信期間タイマー、受信延長期間タイマー、再送信期間タイマーが動作している間をアクティブタイムと設定する。
【０１２６】
アクティブタイムの間、ＭＡＣ制御部１２１はＰＨＹ制御部１１９に送信処理部１０７、無線部１０９、受信処理部１１３の動作を指示する。アクティブタイム以外の間、ＭＡＣ制御部１２１は、ＰＨＹ制御部１１９に送信処理部１０７、無線部１０９、受信処理部１１３の動作停止を指示する。
【０１２７】
間欠受信（ＤＲＸ）制御が設定されている間にＤ２Ｄを行う場合、ＭＡＣ制御部１２１は、物理Ｄ２Ｄ同期チャネルＰＤ２ＤＳＣＨおよび物理Ｄ２ＤデータチャネルＰＤ２ＤＤＣＨのＤ２ＤＳＡ期間をＤ２Ｄ通信中のアクティブタイムと設定してもよい。また、ＭＡＣ制御部１２１は、Ｄ２Ｄ送受信許可情報を取得した場合、Ｄ２Ｄデータの送信期間をＤ２Ｄ通信中のアクティブタイムと設定してもよい。
【０１２８】
尚、Ｄ２Ｄ通信中のアクティブタイムの間、ＭＡＣ制御部１２１は、ＰＨＹ制御部１１９にＤ２Ｄ送信処理部１０５、送信処理部１０７、無線部１０９、Ｄ２Ｄ受信処理部１１１、受信処理部１１３の動作を指示する。Ｄ２Ｄ通信中のアクティブタイム以外の間、ＭＡＣ制御部１２１は、ＰＨＹ制御部１１９にＤ２Ｄ送信処理部１０５、送信処理部１０７、無線部１０９、Ｄ２Ｄ受信処理部１１１、受信処理部１１３の動作停止を指示する。
【０１２９】
尚、ＭＡＣ制御部１２１は、Ｄ２Ｄ通信中のアクティブタイムに、受信処理部１１３からＤ２Ｄ送受信許可情報を取得しても受信延長期間タイマーをスタートまたはリスタートは行わない。
【０１３０】
ＭＡＣ制御部１２１は、ＭＡＣ情報抽出部１１５から入力されたＭＡＣ制御情報の中で送信タイミング情報をＰＨＹ制御部１１９へ出力する。ＭＡＣ制御部１２１は、上りリンク送信タイミングを管理し、ＰＨＹ制御部１１９を制御する。
【０１３１】
ＭＡＣ制御部１２１は、送信タイミングタイマーを用いて上りリンクの送信タイミングを有効・無効を管理する。ＭＡＣ制御部１２１は、送信タイミング情報を適用した場合に対応する送信タイミングタイマーをスタートまたはリスタートさせる。
【０１３２】
ＭＡＣ制御部１２１は、送信データ記憶部１０３に蓄積されているデータ量情報であるバッファステータスレポート（ＢＳＲ）を作成し、送信データ記憶部１０３に出力する。また、ＭＡＣ制御部１２１は、セル毎の送信電力情報であるパワーヘッドルームレポート（Power Headroom Report：ＰＨＲ）を作成し、送信データ記憶部１０３に出力する。
【０１３３】
ＲＲＣ制御部１２３は、基地局装置３との接続・リリース処理、キャリアアグリゲーション設定、制御データおよびユーザーデータのデータ送信制御設定など基地局装置３と通信を行うための各種設定を行う。また、ＲＲＣ制御部１２３は、Ｄ２Ｄ通信を行う場合にも、Ｄ２Ｄデータ送信制御設定など移動局装置間で通信を行うための各種設定を行う。ＲＲＣ制御部１２３は、各種設定に伴う上位層との情報のやり取りを行い、前記各種設定に伴う下位層の制御を行う。
【０１３４】
ＲＲＣ制御部１２３は、ＲＲＣメッセージを作成し、作成したＲＲＣメッセージをデータ生成部１０１に出力する。ＲＲＣ制御部１２３は、データ処理部１１７から入力されたＲＲＣメッセージを解析する。ＲＲＣ制御部１２３は、自移動局装置の送信能力を示したメッセージを作成し、データ生成部１０１に出力する。また、ＲＲＣ制御部１２３は、ＭＡＣ層に必要な情報をＭＡＣ制御部１２１に出力し、物理層に必要な情報をＰＨＹ制御部１１９に出力する。
【０１３５】
ＲＲＣ制御部１２３は、間欠受信パラメータセット（間欠受信開始オフセット、間欠受信周期（ＤＲＸ  ｃｙｃｌｅ）、間欠受信期間タイマー(ｏｎ  Ｄｕｒａｔｉｏｎ  ｔｉｍｅｒ)、受信延長期間タイマー（Ｉｎａｃｔｉｖｉｔｙ  ｔｉｍｅｒ）、再送信期間タイマー（Ｒｅｔｒａｎｓｍｉｓｓｉｏｎ  ｔｉｍｅｒ）等）を取得した場合、ＭＡＣ制御部１２１に間欠受信パラメータを出力する。
【０１３６】
また、ＲＲＣ制御部１２３は、Ｄ２Ｄ通信を開始する場合、Ｄ２Ｄ通信開始を示したメッセージを作成し、データ生成部１０１に出力する。
【０１３７】
尚、Ｄ２Ｄ送信処理部１０５、送信処理部１０７、無線部１０９、Ｄ２Ｄ受信処理部１１１、受信処理部１１３、ＰＨＹ制御部１１９は、物理層の動作を行い、送信データ記憶部１０３、ＭＡＣ情報抽出部１１５、ＭＡＣ制御部１２１は、ＭＡＣ層の動作を行い、データ生成部１０１及びデータ処理部１１７は、ＲＬＣ層及びＰＤＣＰ層の動作を行い、ＲＲＣ制御部１２３はＲＲＣ層の動作を行う。
【０１３８】
図２は、本発明の実施形態に係る基地局装置の構成を示す図である。基地局装置３は、データ生成部２０１、送信データ記憶部２０３、送信処理部２０５、無線部２０７、受信処理部２０９、ＭＡＣ情報抽出部２１１、データ処理部２１３、ＰＨＹ制御部２１５、ＭＡＣ制御部２１７およびＲＲＣ制御部２１９から構成される。
【０１３９】
上位層からユーザーデータおよびＲＲＣ制御部２１９からの制御データは、データ生成部２０１に入力される。データ生成部２０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部２０１は、処理を行ったデータとデータの論理チャネル情報を送信データ記憶部２０３に出力する。
【０１４０】
送信データ記憶部２０３は、データ生成部２０１から入力されたデータをユーザー毎に蓄積し、ＭＡＣ制御部２１７からの指示に基づいて指示されたユーザーのデータを指示されたデータ量分だけ送信処理部２０５に出力する。また、送信データ記憶部２０３は、蓄積されたデータのデータ量の情報をＭＡＣ制御部２１７に出力する。
【０１４１】
送信処理部２０５は、入力データに符号化を行い、符号化したデータにパンクチャ処理を行う。そして、送信処理部２０５は、符号化したデータを保存する。送信処理部２０５は、ＭＡＣ制御部２１７からデータの再送を指示された場合、保存してある符号化したデータから前回に行なったパンクチャと異なるパンクチャ処理を行う。
【０１４２】
送信処理部２０５は、パンクチャ処理したデータに変調・符号化を行なう。送信処理部２０５は、変調・符号化されたデータを物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。そして、送信処理部２０５は、生成したＯＦＤＭ信号を無線部２０７に出力する。
【０１４３】
また、送信処理部２０５は、ＭＡＣ制御部２１７から受信データの応答指示があった場合、ＡＣＫまたはＮＡＣＫ信号を生成し、生成した信号を物理下りリンク制御チャネルＰＤＣＣＨに配置し、無線部２０７に出力する。送信処理部２０５は、ＭＡＣ制御部２１７から取得したスケジュール情報から下りリンク割り当て情報、上りリンク送信許可情報または、Ｄ２Ｄ送信許可情報を作成し、物理下りリンク制御チャネルＰＤＣＣＨに配置し、無線部２０７に出力する。
【０１４４】
無線部２０７は、送信処理部２０５から入力されたデータを無線周波数にアップコンバートし、送信電力を調整して送信アンテナからデータを送信する。また、無線部２０７は、受信アンテナより受信した無線信号をダウンコンバートし、受信処理部２０９に出力する。受信処理部２０９は、無線部２０７から入力された信号をＦＦＴ（Fast Fourier Transform（高速フーリエ変換））処理、復号化、復調処理等を行なう。
【０１４５】
受信処理部２０９は、復調したデータの中で物理上りリンク制御チャネルＰＵＣＣＨから取得した制御データの下りリンク送信データの応答情報（ＡＣＫ／ＮＡＣＫ）、下りリンク無線品質情報（ＣＱＩ）及び上りリンク送信要求情報（スケジューリングリクエスト）をＭＡＣ制御部２１７に出力する。
【０１４６】
受信処理部２０９は、復調したデータの中で物理上りリンク共用チャネルＰＵＳＣＨのデータの復号処理を行い、復号処理に成功した場合、データをＭＡＣ情報抽出部２１１に出力する。受信処理部２０９は、入力データの復号処理に失敗した場合、復号処理に失敗したデータを保存する。受信処理部２０９は、再送データを受信した場合、保存してあるデータと再送データを合成し、復号処理を行う。また、受信処理部２０９は、入力データの復号処理の成否をＭＡＣ制御部２１７に通知する。
【０１４７】
ＭＡＣ情報抽出部２１１は、受信処理部２０９から入力されたデータからＭＡＣ層の制御データを抽出し、抽出した制御情報をＭＡＣ制御部２１７に出力する。ＭＡＣ情報抽出部２１１は、残りのデータをデータ処理部２１３に出力する。
【０１４８】
データ処理部２１３は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部２１３は、ＲＲＣメッセージとユーザーデータに分け、ＲＲＣメッセージをＲＲＣ制御部２１９に出力し、ユーザーデータを上位層に出力する。
【０１４９】
ＰＨＹ制御部２１５は、ＭＡＣ制御部２１７からの指示により送信処理部２０５、無線部２０７、および、受信処理部２０９を制御する。
【０１５０】
ＭＡＣ制御部２１７は、ＭＡＣ層の機能を持ち、ＲＲＣ制御部２１９や下位層などから取得した情報をもとにＭＡＣ層の制御を行う。ＭＡＣ制御部２１７は、下りリンクおよび上りリンクのスケジューリング処理を行う。
【０１５１】
ＭＡＣ制御部２１７は、受信処理部２０９から入力された下りリンク送信データの応答情報（ＡＣＫ／ＮＡＣＫ）、下りリンク無線品質情報（ＣＱＩ）、及び上りリンク送信要求情報（スケジューリングリクエスト）、ＭＡＣ情報抽出部２１１から入力されたバッファステータスレポート及び送信データ記憶部２０３から取得したユーザー毎のデータ量情報、および、移動局装置１−１の間欠受信動作（またはアクティブタイム、Ｄ２Ｄ通信中のアクティブタイム）を考慮して下りリンク及び上りリンクのスケジューリング処理を行う。ＭＡＣ制御部２１７は、スケジュール情報を送信処理部２０５に出力する。
【０１５２】
ＭＡＣ制御部２１７は、受信処理部２０９から上りリンク送信データに対する応答情報を取得し、応答情報がＮＡＣＫ（否応答）を示していた場合、送信処理部２０５に再送を指示する。ＭＡＣ制御部２１７は、受信処理部２０９からデータの復号処理の成否情報を取得した場合、送信処理部２０５にＡＣＫまたはＮＡＣＫ信号を送信するように指示する。
【０１５３】
ＭＡＣ制御部２１７は、ＭＡＣ情報抽出部２１１からＤ２Ｄ用のバッファステータスレポートを取得した場合、Ｄ２Ｄ通信のスケジューリング処理を行う。ＭＡＣ制御部２１７は、スケジュール情報を送信処理部２０５に出力する。
【０１５４】
また、ＭＡＣ制御部２１７は、移動局装置１−１に割り当てたセル（または、コンポーネントキャリア）のアクティベーション／デアクティベーション処理や上りリンク送信タイミングの管理等を行う。ＲＲＣ制御部２１９から取得した移動局装置１−１の間欠受信パラメータおよびＤ２Ｄスケジューリング結果から移動局装置１−１の間欠受信動作（またはアクティブタイム、Ｄ２Ｄ通信中のアクティブタイム）を判断する。
【０１５５】
ＲＲＣ制御部２１９は、移動局装置１−１との接続・切断処理、キャリアアグリゲーション設定、移動局装置１−１の制御データおよびユーザーデータに対するデータ送信制御設定など移動局装置１−１と通信を行うための各種設定を行い、前記各種設定に伴う上位層との情報のやり取りを行い、前記各種設定に伴う下位層の制御を行う。また、ＲＲＣ制御部２１９は、Ｄ２Ｄ通信を行う場合にも、Ｄ２Ｄデータ送信制御設定など移動局装置間でＤ２Ｄ通信を行うための各種設定を行う。
【０１５６】
ＲＲＣ制御部２１９は、各種ＲＲＣメッセージを作成し、作成したＲＲＣメッセージをデータ生成部２０１に出力する。ＲＲＣ制御部２１９は、データ処理部２１３から入力されたＲＲＣメッセージを解析する。ＲＲＣ制御部２１９は、移動局装置１−１から移動局装置の送受信能力を示したメッセージを取得した場合、移動局装置の送受信能力情報に基づいて移動局装置１−１に適したキャリアアグリゲーションの設定を行う。
【０１５７】
ＲＲＣ制御部２１９は、移動局装置１−１に対して間欠受信パラメータセット（間欠受信開始オフセット、間欠受信周期（ＤＲＸ  ｃｙｃｌｅ）、間欠受信期間タイマー(ｏｎ  Ｄｕｒａｔｉｏｎ  ｔｉｍｅｒ)、受信延長期間タイマー（Ｉｎａｃｔｉｖｉｔｙ  ｔｉｍｅｒ）、再送信期間タイマー（Ｒｅｔｒａｎｓｍｉｓｓｉｏｎ  ｔｉｍｅｒ）等）を含んだメッセージを作成し、作成したメッセージをデータ生成部２０１に出力する。
【０１５８】
また、ＲＲＣ制御部２１９は、移動局装置１−１に対する間欠受信パラメータセットをＭＡＣ制御部２１７に通知する。
【０１５９】
ＲＲＣ制御部２１９は、Ｄ２Ｄ通信開始要求メッセージを受信した場合、Ｄ２Ｄデータに対するＤ２Ｄデータ送信制御設定、Ｄ２Ｄ通信に対する物理チャネル構成およびＭｏｄｅ１またはＭｏｄｅ２に対する無線リソースプールなどのＤ２Ｄ通信に必要な情報を含んだメッセージを作成し、作成したメッセージをデータ生成部２０１に出力する。
【０１６０】
また、ＲＲＣ制御部２１９は、上りリンク無線品質測定または移動局装置１−１から通知される下りリンク無線品質情報から移動局装置１−１をＭｏｄｅ１で動作させるか、または、Ｍｏｄｅ２で動作させるか決定する。
【０１６１】
また、ＲＲＣ制御部２１９は、ＭＡＣ層に必要な情報をＭＡＣ制御部２１７に出力し、物理層に必要な情報をＰＨＹ制御部２１５に出力する。
【０１６２】
尚、送信処理部２０５、無線部２０７、受信処理部２０９は、ＰＨＹ層の動作を行い、送信データ記憶部２０３、ＭＡＣ情報抽出部２１１、ＭＡＣ制御部２１７は、ＭＡＣ層の動作を行い、データ生成部２０１及びデータ処理部２１３は、ＲＬＣ層及びＰＤＣＰ層の動作を行い、ＲＲＣ制御部２１９はＲＲＣ層の動作を行う。
【０１６３】
[動作説明]
図６〜図１４で説明したような無線通信システムを想定し、基地局装置３と少なくとも移動局装置１−１が通信を行う。また、移動局装置１−１、移動局装置１−２および移動局装置１−３の移動局装置間でＤ２Ｄ通信を行うような無線通信システムを想定する。
【０１６４】
図１３において、移動局装置１−１〜移動局装置１−３を移動局装置１という。セルは、基地局装置３がカバーするエリア（範囲）を示す。移動局装置１−１および移動局装置１−２は、セルの範囲内（in-coverage）である。移動局装置１−３は、セルの範囲外（out-of-coverage）である。尚、移動局装置１−１は、基地局装置３と通信が確立された状態（ＲＲＣ＿ＣＯＮＮＥＣＴＥＤ状態）であり、移動局装置１−２は、アイドル状態（ＲＲＣ＿ＩＤＬＥ状態）である。
【０１６５】
上りリンクは、移動局装置１−１から基地局装置３への無線リンクである。下りリンクは、基地局装置３から移動局装置１−１への無線リンクである。Ｄ２Ｄリンクは、移動局装置１間の無線リンクである。尚、Ｄ２ＤリンクをＤ２Ｄ通信路、ＰｒｏＳｅリンク、または、ＰｒｏＳｅ通信路とも称する。Ｄ２Ｄリンクにおいて、Ｄ２Ｄ  ＤｉｓｃｏｖｅｒｙまたはＤ２Ｄ  Ｃｏｍｍｕｎｉｃａｔｉｏｎが行われる。以下では、Ｄ２Ｄ  ＤｉｓｃｏｖｅｒｙまたはＤ２Ｄ  Ｃｏｍｍｕｎｉｃａｔｉｏｎを単にＤ２Ｄと称する。
【０１６６】
基地局装置３は、移動局装置１−１と通信中（ＲＲＣ＿ＣＯＮＮＥＣＴＥＤ）に間欠受信制御を移動局装置１−１に設定する。例えば、基地局装置３は、移動局装置１−１のデータ情報等（データのＱｏＳ（Quality of Service））を考慮して、間欠受信動作を行うための間欠受信パラメータ（間欠受信開始オフセット、間欠受信周期（ＤＲＸ  ｃｙｃｌｅ）、間欠受信期間タイマー(ｏｎ  Ｄｕｒａｔｉｏｎ  ｔｉｍｅｒ)、受信延長期間タイマー（Ｉｎａｃｔｉｖｉｔｙ  ｔｉｍｅｒ）、再送信期間タイマー（Ｒｅｔｒａｎｓｍｉｓｓｉｏｎ  ｔｉｍｅｒ）等）を決定し、間欠受信パラメータを含んだメッセージを移動局装置１−１に通知する。
【０１６７】
移動局装置１−１は、受信した間欠受信パラメータを設定し、間欠受信パラメータに基づいた間欠受信制御を開始する。そして、移動局装置１−１は、各タイマーが動作している間をアクティブタイムと設定する。移動局装置１−１は、アクティブタイムに下りリンク制御チャネルＰＤＣＣＨをモニタリングする。
【０１６８】
例えば、図３に示すように、移動局装置１−１は、間欠受信周期、間欠受信開始オフセット、間欠受信期間タイマーを用いて、間欠受信動作を行う。そして、アクティブタイムに下りリンク制御チャネルＰＤＣＣＨで新規の下りリンク割り当て情報または上りリンク送信許可情報を受信した場合、受信延長期間タイマーをスタートまたはリスタートする。また、移動局装置１−１は、基地局装置３からデータの再送信がある場合、再送信期間タイマーＡをスタートする。
【０１６９】
移動局装置１−１が移動局装置１−２または移動局装置１−３とＤ２Ｄを行う場合、移動局装置１−１は、基地局装置３にＤ２Ｄ開始を要求するＤ２Ｄ要求メッセージを送信する。移動局装置１−１からＤ２Ｄ要求メッセージを受信すると、基地局装置３は、Ｄ２Ｄの送信データ設定（Ｄ２Ｄデータのベアラ設定）情報、Ｄ２Ｄ物理チャネルの構成情報、Ｄ２Ｄ物理信号の構成情報、およびＭｏｄｅ１の無線リソース領域（リソースプール：resource pool）情報を含んだＤ２Ｄ設定メッセージを作成し、作成したＤ２Ｄ設定メッセージを移動局装置１−１に通知する。
【０１７０】
例えば、Ｄ２Ｄ物理チャネルの構成情報には、物理Ｄ２Ｄ同期チャネルＰＤ２ＤＳＣＨの配置情報、物理Ｄ２ＤデータチャネルＰＤ２ＤＤＣＨの配置情報および物理Ｄ２ＤデータチャネルＰＤ２ＤＤＣＨのＳＡ期間情報が含まれる。Ｍｏｄｅ１のリソースプール情報にはＭｏｄｅ１で使用される物理Ｄ２ＤデータチャネルＰＤ２ＤＤＣＨの配置情報等が含まれる。
【０１７１】
移動局装置１−１は、基地局装置３からＭｏｄｅ１のリソースプールが設定されると、Ｍｏｄｅ１が設定されたと認識する。そして、移動局装置１−１は、Ｄ２Ｄ物理チャネルの構成情報およびＤ２Ｄ同期信号の構成情報から物理Ｄ２Ｄ同期チャネルＰＤ２ＤＳＣＨおよび物理Ｄ２ＤデータチャネルＰＤ２ＤＤＣＨのＳＡ期間、Ｄ２Ｄ同期信号の期間の一部またはこれらの組み合わせの期間をＤ２Ｄ通信中のアクティブタイムに設定する。つまり、移動局装置１−１は、移動局装置１−１は、アクティブタイムに下りリンク制御チャネルＰＤＣＣＨをモニタリングし、また、Ｄ２Ｄ通信中のアクティブタイムに物理Ｄ２Ｄ同期チャネルＰＤ２ＤＳＣＨの受信、および／または、物理Ｄ２ＤデータチャネルＰＤ２ＤＤＣＨのＳＡ期間での他の移動局装置（ここでは、移動局装置１−２または移動局装置１−３）からのＳＡのモニタリングを行う。
【０１７２】
例えば、図４に示すようなチャネル（サブフレーム）構成の場合、移動局装置１−１は、物理Ｄ２Ｄ同期チャネルＰＤ２ＤＳＣＨ、および／または、物理Ｄ２ＤデータチャネルＰＤ２ＤＤＣＨのＳＡ期間のサブフレームＴ１およびサブフレームＴ２の期間、サブフレームＴ７、および／または、サブフレームＴ８の期間をアクティブタイムに設定する。移動局装置１−１は、間欠受信パラメータで設定されたアクティブタイムで下りリンク制御チャネルＰＤＣＣＨをモニタリングし、物理Ｄ２Ｄ同期チャネルＰＤ２ＤＳＣＨ、および／または、物理Ｄ２ＤデータチャネルＰＤ２ＤＤＣＨのＳＡ期間で設定されたＤ２Ｄ通信中のアクティブタイムで他の移動局装置からのＳＡをモニタリングする。
【０１７３】
また、移動局装置１−１は、基地局装置３からＭｏｄｅ１が設定され、バッファにＤ２Ｄに対する送信データがある場合、上りリンク制御チャネルＰＵＣＣＨまたは物理ランダムアクセスチャネルＰＲＡＣＨを用いて、基地局装置３にＤ２Ｄデータの無線リソースを要求するスケジューリングリクエストを送信する。基地局装置３は、移動局装置１−１からのスケジューリングリクエストを取得すると、下りリンク制御チャネルＰＤＣＣＨで上りリンク送信許可情報（上りリンクグラント：Uplink grant）を移動局装置１−１に送信する。
【０１７４】
移動局装置１−１は、基地局装置３から上りリンク送信許可情報を取得すると、上りリンク送信許可情報で示された上りリンク共用チャネルＰＵＳＣＨでＤ２Ｄデータのバッファ情報を含むＢＳＲ（バッファステータスレポート）を送信する。
【０１７５】
尚、移動局装置１−１は、上りリンク制御チャネルＰＵＣＣＨを使用して、スケジューリングリクエストを送信した場合、基地局装置３からＤ２Ｄ送信許可情報（Ｄ２Ｄグラント：D2D grant）を取得するまでの期間をアクティブタイムに設定する。
【０１７６】
基地局装置３は、移動局装置１−１からＢＳＲを受信し、ＢＳＲにＤ２Ｄデータのバッファ情報が含まれていると、Ｄ２Ｄデータのスケジューリングを行い、移動局装置１−１にＤ２Ｄ送信許可情報を送信する。
【０１７７】
移動局装置１−１は、下りリンク制御チャネルＰＤＣＣＨをモニタリングして、Ｄ２Ｄ送信許可情報を検出した場合、Ｄ２Ｄ送信許可情報に基づいてＳＡを作成する。移動局装置１−１は、Ｄ２Ｄ送信許可情報で指定されたＳＡ期間の送信位置で、ＳＡを送信する。また、移動局装置１−１は、Ｄ２ＤデータをＳＡで示した送信位置で送信する。
【０１７８】
尚、移動局装置１−１は、Ｄ２Ｄ送信許可情報で指定されたＤ２Ｄデータの送信領域もＤ２Ｄ通信中のアクティブタイムとして設定するようにしても良い。例えば、図５に示すようなチャネル（サブフレーム）構成において、Ｄ２Ｄ送信許可情報でサブフレームＴ４の物理Ｄ２ＤデータチャネルＰＤ２ＤＤＣＨでのＤ２Ｄデータ送信を指示された場合、移動局装置１−１は、Ｄ２Ｄデータの送信期間であるサブフレームＴ４もＤ２Ｄ通信中のアクティブタイムに設定するようにしても良い。
【０１７９】
尚、移動局装置１−１は、Ｄ２Ｄ通信中のアクティブタイムに、基地局装置３から新規のＤ２Ｄ送信許可情報を取得しても受信延長期間タイマーをスタートまたはリスタートは行わない。
【０１８０】
また、移動局装置１−１は、移動局装置１−２または移動局装置１−３からのＳＡを受信すると、ＳＡに基づいて、物理Ｄ２ＤデータチャネルＰＤ２ＤＤＣＨの受信を行い、移動局装置１−２または移動局装置１−３から送信されたデータを取得する。尚、移動局装置１−１は、ＳＡで示された物理Ｄ２ＤデータチャネルＰＤ２ＤＤＣＨの受信期間をＤ２Ｄ通信中のアクティブタイムと設定しなくても良い。また、移動局装置１−１は、移動局装置１−２または移動局装置１−３からＳＡを受信しない限り、ＳＡ期間以外の物理Ｄ２ＤデータチャネルＰＤ２ＤＤＣＨの受信処理を行わなくても良い。
【０１８１】
基地局装置３は、移動局装置１−１に通知した間欠受信パラメータからアクティブタイムを決定し、物理Ｄ２Ｄチャネル構成、送信許可情報などから移動局装置１−１のＤ２Ｄ通信中のアクティブタイムを決定し、これらのアクティブタイムを考慮して、下りリンクデータおよび上りリンクデータに対するスケジューリングを行う。また、基地局装置３は、アクティブタイムに、移動局装置１−１に対する下りリンク割り当て情報または上りリンク送信許可情報を送信する。基地局装置３は、アクティブタイムに、移動局装置１−１に対するＤ２Ｄ送信許可情報も送信する。
【０１８２】
このようにすることで、移動局装置１−１は、基地局装置とのデータ通信中に移動局装置１−２または移動局装置１−３とＤ２Ｄ通信を行う場合であっても効率のよい間欠受信動作を行うことが可能となる。また、基地局装置３は移動局装置１−１に対して効率の良い下りリンクおよび上りリンクのデータスケジューリングを行うことができる。
【０１８３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１８４】
実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０１８５】
また、説明の便宜上、実施形態の移動局装置１−１、基地局装置３を機能的なブロック図を用いて説明したが、移動局装置１−１、基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１８６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１８７】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１８８】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１８９】
１−１〜１−３  移動局装置
３              基地局装置
１０１、２０１  データ生成部
１０３、２０３  送信データ記憶部
１０５          Ｄ２Ｄ送信処理部
１０７、２０５  送信処理部
１０９、２０７  無線部
１１１          Ｄ２Ｄ受信処理部
１１３、２０９  受信処理部
１１５、２１１  ＭＡＣ情報抽出部
１１７、２１３  データ処理部
１１９、２１５  ＰＨＹ制御部
１２１、２１７  ＭＡＣ制御部
１２３、２１９  ＲＲＣ制御部
【図１】
2017163173.tif 000003
【図２】
2017163173.tif 000004
【図３】
2017163173.tif 000005
【図４】
2017163173.tif 000006
【図５】
2017163173.tif 000007
【図６】
2017163173.tif 000008
【図７】
2017163173.tif 000009
【図８】
2017163173.tif 000010
【図９】
2017163173.tif 000011
【図１０】
2017163173.tif 000012
【図１１】
2017163173.tif 000013
【図１２】
2017163173.tif 000014
【図１３】
2017163173.tif 000015
【図１４】
2017163173.tif 000016